(57)【要約】      （修正有）【課題】不正開封されたか否かを、シール基材あるいは分割用ミシン目の破断の有無で視覚的に容易に識別でき、また、正規開封の場合は、貼付面からきれいに剥がれて、容器を再利用する際の美感を損なわない封止用シールを提供する。【解決手段】封止用シール１は、本体と蓋に跨るようにして容器に貼付するものであって、シール基材２にこれを各分割部２ａ，２ｂに二分するとともに、剥離開始端を形成する分割用ミシン目３を設け、シール基材２の一面には粘着部５と非粘着部６とを設け、非粘着部６は、シール基材２の各分割部２ａ，２ｂにおける分割用ミシン目３とは反対側端に、互いに間隔をおいて分割用ミシン目３に向けて延びるよう複数設けたものである。【選択図】図３
2011189972.tif 000002
【特許請求の範囲】
【請求項１】
本体と蓋に跨るようにして容器に貼付する封止用シールであって、シール基材にこれを各分割部に二分するとともに、剥離開始端を形成する分割用ミシン目を設け、前記シール基材の一面には粘着部と非粘着部とを設け、前記非粘着部は、前記シール基材の各分割部における前記分割用ミシン目とは反対側端に、互いに間隔をおいて前記分割用ミシン目に向けて延びるよう複数設けたことを特徴とする封止用シール。
【発明の詳細な説明】
【技術分野】
【０００１】
本発明は、本体と蓋からなる容器の封止用シールに関し、特に、再利用する容器に使用して好適であるとともに、不正に開封したことを視覚的に容易に識別可能な封止用シールに関する。
【背景技術】
【０００２】
従来、この種の封止用シールとしては、不正に剥がした場合には破断されて、初期貼付状態に復元不能とし、痕跡が貼付面に残ることにより不正に開封されたことを識別可能とする構成が知られている。例えば、シール基材を分割用ミシン目で２等分するとともに、裏面には貼付用の粘着剤層を設け、各分割部分に、各端部から前記分割用ミシン目方向に剥がした場合にはシール基材を破くようにする一方、前記分割用ミシン目を破断して、ここから端部方向に剥がした場合にはシール基材を破かないようにする不正開封防止用切断線を形成してなり、前記分割用ミシン目を容器の本体と蓋の境に対応させて貼付して使用する封止用シールがある（特許文献１）。
【０００３】
また、例えば、シール基材を分割用ミシン目で２等分するとともに、裏面には貼付用の粘着剤層を設け、各端部には不正開封防止用切り込みを形成し、各端部から前記分割用ミシン目方向に剥がした場合には不正開封防止用切り込み部分からシール基材が破けてしまう一方、前記分割用ミシン目を破断して、ここから端部方向に剥がした場合には不正開封防止用切り込み部分が破断しないようになし、前記分割用ミシン目を容器の本体と蓋の境に対応させて貼付して使用する封止用シールがある（特許文献２）。
【先行技術文献】
【特許文献】
【０００４】
【特許文献１】特開２００４−０８５６１４号公報
【特許文献２】特開２００４−２０５９５５号公報
【発明の概要】
【発明が解決しようとする課題】
【０００５】
しかし、これら従来の封止用シールは、いずれも不正開封防止用の切断線や切り込み部分の切断状態によって、不正開封の有無を識別するのであるが、前記切断線や切り込み部分は粘着剤層に対応して設けられているため、前記粘着剤層を形成する粘着剤の劣化にともない、前記切断線や切り込み部分から剥離してしまい、不正開封防止の機能を果たすことができないという不都合がある。また、これら従来の封止用シールは、不用意な取り扱いによって、前記切断線や切り込み部分が切断してしまう場合があり、この場合にも不正開封防止の機能を果たすことができないという不都合がある。本発明は、このような不都合を解消した封止用シールを提供することを目的とする。
【課題を解決するための手段】
【０００６】
この目的を達成するため本発明の請求項１に係る封止用シールは、本体と蓋に跨るようにして容器に貼付する封止用シールであって、シール基材にこれを各分割部に二分するとともに、剥離開始端を形成する分割用ミシン目を設け、前記シール基材の一面には粘着部と非粘着部とを設け、前記非粘着部は、前記シール基材の各分割部における前記分割用ミシン目とは反対側端に、互いに間隔をおいて前記分割用ミシン目に向けて延びるよう複数設けたものである。
【発明の効果】
【０００７】
本発明に係る封止用シールによれば、不正開封されたか否かを、分割用ミシン目の破断の有無で視覚的に容易に識別でき、また、分割用ミシン目が破断されていない場合でも、分割用ミシン目とは反対側から不正開封されたか否かを、非粘着部と粘着部との境から生じた切断の有無で視覚的に容易に識別でき、さらに、開封後には、容器に貼付されたシール基材を分割用ミシン目側からきれいに剥がすことができるので、貼付していた容器を再利用する際の美感を損なわないという効果を奏する。
【図面の簡単な説明】
【０００８】
【図１】本発明の一実施形態における封止用シールの表面側を示す平面図。
【図２】図１のＡ−Ａ線断面図。
【図３】剥離紙を剥離した裏面側を示す平面図。
【図４】容器に貼付した状態を示す斜視図。
【図５】不正開封状態を示す斜視図。
【図６】正規開封状態を示す斜視図。
【図７】本発明の非粘着部に関する他の実施形態を示す断面図。
【発明を実施するための形態】
【０００９】
以下、本発明の好適な一実施形態について説明する。図１〜図３に示すように、本実施形態の封止用シール１は、単片状で、合成樹脂フィルムや紙等からなるシール基材２に、これを各分割部２ａ，２ｂに二分するとともに、剥離開始端を形成する分割用ミシン目３を設けている。この分割用ミシン目３は、前記シール基材２を図４に示す容器４に貼付するときに、本体４ａと蓋４ｂの境Ｘに対応するように位置決めされるものである。
【００１０】
図２及び図３に示すように、シール基材２の裏面には粘着部たる粘着剤を塗布してなる粘着剤層５を設けている。この粘着剤層５の粘着力は、一旦容器４に貼付すると、通常の取り扱いでは容器４から剥離しないが、所定以上の力を与えると剥離可能に設定されている。
【００１１】
また、シール基材２の裏面側には、非粘着部たる粘着抑制剤を塗布してなる粘着抑制剤層６を粘着剤層５の上に設けている。この粘着抑制剤層６は、前記シール基材２の各分割部２ａ，２ｂにおける分割用ミシン目３とは反対側端に、互いに間隔をおいて前記分割用ミシン目３に向けて延びるよう複数設けている。前記粘着抑制剤層６を構成する粘着抑制剤としては、剥離剤や各種印刷インキを用いることができる。
【００１２】
図２に示すように、粘着剤層５と粘着抑制剤層６は、剥離紙７によって被覆されている。
【００１３】
続いて、上述した封止用シール１の使用方法を説明する。封止用シール１は、裏面側の剥離紙７を剥離し、露出した粘着剤層５によって、図４に示すように、容器４の本体４ａと蓋４ｂにまたがるようにして貼付する。この時、分割用ミシン目３と切り用ミシン目７が、容器４の本体４ａと蓋４ｂとの境Ｘに対応するように位置決めされる。
【００１４】
図４状態において、分割用ミシン目３が破断されていれば、不正開封が試みられたことが視覚的に識別される。また、分割用ミシン目３を破断することなく、容器４の蓋４ｂを開けようとして、不正開封を試みた場合は、シール基材２の前記分割用ミシン目３とは反対側端をめくり上げることになる。すると、シール基材２の剥離部分が粘着抑制剤層６から粘着剤層５に移る境界に達した段階で、剥離に抵抗する力が急に強くなるので、図５に示すように、シール基材２は前記境界部分から破断される。そして、この破断状態を修復することはできないので、前記シール基材２の破断によって、不正開封したことを視覚的に容易に識別可能である。
【００１５】
一方、正規に開封する場合は、図４状態において、まず、シール基材２の分割用ミシン目３を破断するのであるが、この分割用ミシン目３は本体４ａと蓋４ｂの境Ｘに対応位置しているので、指の爪などで前記境Ｘに沿って力を加えることにより、破断動作は容易になされる。次いで、この破断端を剥離開始端として、シール基材２をめくり上げると、図６に示すように、シール基材２は容器４から順次剥離されていく。そして、剥離部分が粘着剤層５と粘着抑制剤層６の境界に達しても、この場合は剥離に抵抗する力が急に弱くなるので、シール基材２は破断されることなく、円滑に剥離されていく。このようにして、各分割部２ａ，２ｂ毎に容器４からきれいに剥離される。
【００１６】
この正規の開封動作にあっては、シール基材２を、各分割部２ａ，２ｂ毎に容器４からきれいに剥離することができるので、容器４を再利用するときに、封止用シール１を貼付していた痕跡が残らず、美感を損なうことなく使用可能である。
【００１７】
図７は本発明の別の実施形態において、図２と同一位置における断面を示すものである。本実施形態の封止用シール１１が上述の封止用シール１と相違するのは、非粘着部の構成だけである。すなわち、貼付用シール１の粘着剤層５上に設けた粘着抑制剤層６に替えて、粘着剤層１５を設けていない基材シート１２の露出面たる粘着剤非塗布部１６で非粘着部を構成したものである。また、図７において、１２ａ，１２ｂは分割部分、１３は分割用ミシン目、１７は剥離紙である。
【００１８】
本実施形態も上述した第１の実施形態と同様に、不正開封を行なうと、分割用ミシン目１３が破断され、あるいはシール基材１２が粘着剤層１５と粘着剤非塗布部１６との境から破断されるものである。一方、正規の開封動作によれば、前記シール基材１２が破断されることなく、きれいに剥離される。したがって、本実施形態においても不正開封されたことを、視覚的に容易に識別可能である。
【００１９】
なお、本発明は、上述の各実施形態に限定されるものではなく、例えば、封止用シール１，１１は、単片状態ではなく、切り用ミシン目を介して連接する連続状態としたうえ、ロール状に巻回して構成してもよく、この場合には、シール基材２，１２の粘着剤層５，１５と反対面側に剥離剤層を設けることにより、剥離紙７，１７は不要になる。また、非粘着部たる粘着抑制剤層６や粘着剤非塗布部１６の形状や数も上述のものに限定されない。
【符号の説明】
【００２０】
１，１１      封止用シール
２，１２      シール基材
２ａ，２ｂ，１２ａ，１２ｂ      分割部
３，１３      分割用ミシン目
４      容器
４ａ      本体
４ｂ      蓋
５，１５      粘着剤層
６      粘着抑制剤層
７，１７      剥離紙
１６      粘着剤非塗布部
【図１】
2011189972.tif 000003
【図２】
2011189972.tif 000004
【図３】
2011189972.tif 000005
【図４】
2011189972.tif 000006
【図５】
2011189972.tif 000007
【図６】
2011189972.tif 000008
【図７】
2011189972.tif 000009